(57)【特許請求の範囲】
【請求項１】
（ａ）少なくとも一部が磁性体で作製され、床上に設けられた下面が平坦なプレートと、
（ｂ）該プレートに設けられた当接体と、
（ｃ）ドアの下部に固定された磁石とからなり、
前記磁石が、下方に開放する凹部が形成されたケースと、当該ケースの内部に収納された磁石本体とからなり、
前記磁石本体が、少なくとも一部が外部へ出没し得るように前記ケースの凹部に収納され、
前記プレートに溝が形成され、前記当接体が前記プレートによって両端が支持された回転軸によって支持され、該溝のドア全開位置側の内部に上下に揺動自在に設けられると共に、前記溝のドア閉位置側の内部に前記磁石本体を吸着する吸着面が形成されてなる
ことを特徴とする戸当り。
【請求項２】
前記ケースの凹部の内面に磁性体からなるストッパが設けられ、前記ストッパが、前記プレートよりも前記磁石本体に引かれる力が小さくされてなる請求項１記載の戸当り。
【請求項３】
前記ケースの内部にバネが設けられ、前記バネが、前記プレートと磁石本体とのあいだの吸引力よりも小さい、前記ケースの内方へ向かう力を前記磁石本体に与える請求項１記載の戸当り。
【請求項４】
前記磁石本体が、合成樹脂製のカバーで覆われてなる請求項１または２記載の戸当り。
【請求項５】
前記当接体の高さが床面から３ｍｍ以下程度である請求項１、２、３または４記載の戸当り。
【発明の詳細な説明】
【０００１】
【発明の属する技術分野】
本発明は戸当りに関する。さらに詳しくは、歩行や運搬物などの移動を安全に行なうことができ、しかもドアの周辺の床面の美観を向上することができ、しかもドアを確実に止めることができる戸当りに関する。
【０００２】
【従来の技術】
従来より、図１２〜１３に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【０００５】
【発明が解決しようとする課題】
しかしながら、前記戸当り５３では、常時床５４に立設されているため、前記ドア５０が戸当り５３に固定されていないばあい、歩行中誤って戸当り５３に蹴つまづいてしまうおそれがある。
【０００６】
また、運搬物、たとえばキャビネット５２を移動させる際に、邪魔になるし、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
一方、床から出没自在の戸当りも種々検討されているが、戸当りを嵌合するための穴を床に形成する作業がさらに必要になる。また、マンションなどの高層住宅などにおいては、床仕上面と各階を仕切るコンクリートスラブ上面とのあいだの床下空間は比較的浅い（深さ１２ｍｍ程度）ため、ドアに確実に衝突できる高さまで緩衝体を突出できる出没自在の戸当りを床下空間に設置するのがむずかしい。
【０００９】
本発明はかかる問題を解消するためになされたものであり、歩行や運搬物などの移動を安全に行なうことができ、しかもドアの周辺の床面の美観を向上することができ、しかもドアを確実に止めることができる戸当りを提供することを目的とする。
【００１０】
【課題を解決するための手段】
本発明の戸当りは、（ａ）少なくとも一部が磁性体で作製され、床上に設けられた下面が平坦なプレートと、
（ｂ）該プレートに設けられた当接体と、
（ｃ）ドアの下部に固定された磁石とからなり、
前記磁石が、下方に開放する凹部が形成されたケースと、当該ケースの内部に収納された磁石本体とからなり、
前記磁石本体が、少なくとも一部が外部へ出没し得るように前記ケースの凹部に収納され、
前記プレートに溝が形成され、前記当接体が前記プレートによって両端が支持された回転軸によって支持され、該溝のドア全開位置側の内部に上下に揺動自在に設けられると共に、前記溝のドア閉位置側の内部に前記磁石本体を吸着する吸着面が形成されてなることを特徴としている。
【００１１】
前記ケースの凹部の内面に磁性体からなるストッパが設けられ、前記ストッパが、前記プレートよりも前記磁石本体に引かれる力が小さくされてなるのが好ましい。
【００１２】
前記ケースの内部にバネが設けられ、前記バネが、前記プレートと磁石本体とのあいだの吸引力よりも小さい、前記ケースの内方へ向かう力を前記磁石本体に与えるのが好ましい。
【００１５】
前記磁石本体が、合成樹脂製のカバーで覆われてなるのが好ましい。
【００１６】
前記当接体の高さが床面から３ｍｍ以下程度であるのが好ましい。
【００１７】
【発明の実施の形態】
つぎに図面を参照しながら本発明の戸当りを詳細に説明する。図１は参考例にかかわる戸当りの一実施の形態を示す斜視説明図、図２は図１の戸当り本体の正面図、図３は図１の戸当り本体の平面図、図４は図２の戸当りの矢視Ａ図、図５は図１の磁石の断面説明図、図６〜８は図１の戸当りの動作説明図、図９は本発明の戸当りの実施の形態を示す戸当り本体の平面図、図１０は図９のＸ−Ｘ線断面図、図１１は図９のXI−XI線断面図である。
【００１８】
図１に示すように、参考例にかかわる戸当りは、大きく分けて、床面に固着された戸当り本体１と、ドアＤに固着される磁石２とから構成されている。
【００１９】
まず、戸当り本体１について図１〜４を参照しながら説明する。
【００２０】
戸当り本体１は、少なくとも一部が磁性体で作製され、床上に設けられたプレート３と、該プレート３の上側に設けられた当接体４とから構成された、あまり床上に突出しないフラットタイプの戸当りである。戸当り本体１は、ネジまたは接着剤などで床面に固着されている。
【００２１】
戸当り本体１は、たとえば、容易に作製でき、しかも高い強度が得られるように、鉄、スチールなどの金属製の磁性材料により、プレート３および当接体４が一体成形されるのが好ましい。また、プレート３を鉄またはスチールなどで形成し、当接体４をゴムまたは合成樹脂などの弾性部材で形成し、プレート３および当接体４をネジまたは接着剤などで互いに結合してもよい。
【００２２】
当接体４の高さは、見栄えがわるくならず、かつ使用者が足をひっかけたりしないように、なるべく床上から突出しない程度の高さに設定するのが好ましい。たとえば、本実施の形態では、当接体４の高さを床面から５ｍｍ以下程度、さらには３ｍｍ程度以下に設定するのが好ましい。床面から５ｍｍ以下程度であれば、歩行者や運搬物が当接体４の上にほとんど抵抗なく乗り上げることができる。
【００２３】
一方、プレート３の厚さは、小さい方が好ましいが、所定の強度をもたせるために、０．５〜１．５ｍｍ程度に設定するのが好ましい。また、磁石本体２ｂが確実にプレート３の上に乗り上げることができるように、プレート３の外周縁３ａをプレート３の外から内へ向かうにつれて上へ向かうように傾斜しているのが好ましい。
【００２４】
つぎに磁石２の説明をする。磁石２は、図１および図５に示されるように、下方に開放する凹部２ｅが形成されたケース２ａの内部に磁石本体２ｂが収納されたものである。ケース２ａの側面には、プレート部２ｃが形成され、プレート部２ｃの両端部にはドアＤにネジ止めするためのネジ孔２ｄが形成されている。磁石２は、ケース２ａがドア下端付近の座ぐりによって形成された穴に埋設され、プレート部２ｃは、ドアの外面に固定される。なお、磁石本体２ｂが収納されたケース２ａをドアの外面に突設するようにしてもよい。
【００２５】
磁石２は、その下面が通常ドアの下面と面一になるように設けられ、また、一般にドアの取付においてその下面と床面との距離は３〜４ｍｍ程度であるので、ケース２ａの下面は床面から３〜４ｍｍ程度上方に位置するように配置される。
【００２６】
磁石本体２ｂは、磁力を過度に弱めない程度の厚さの合成樹脂製のカバー２ｆで覆われているため、磁石本体２ｂが床面またはケーシング３の上面にあたったり、こすれたりして欠けたり、摩耗したりすることがない。
【００２７】
また、磁石本体２ｂは、少なくとも一部が外部へ出没し得るように、凹部２ｅとカバー２ｆとのあいだの嵌め合い寸法が設定されている。しかも、本実施の形態では、カバー２ｆから上部にのびるフック２ｇが、図５において左側からみて左右の２箇所でケース２ａ内部に形成された凹部２ｉに係合しているため、磁石本体２ｂの最大突出量を規制し、磁石本体２ｂの脱落を防止することができる。また、磁石本体２ｂは、図５において左側からみて一対のフック２ｇがある位置ではフック２ｇより後側（図５における右側）にあるが、一対のフック２ｇに挟まれた領域では前側（図５における左側）までのびている（図７〜８参照）。
【００２８】
さらに、図５に示されるように、ケース２ａの凹部２ｅの内面に磁性体からなるストッパ５が設けられている。ストッパ５は、前記プレート３よりも磁石本体２ｂに引かれる力が小さいように作製されている。
【００２９】
たとえば、ストッパ５は、前記プレート３と同様のスチールなどの金属からなり、当該ストッパ１７の水平断面における断面積が前記プレート３の上面における面積よりも小さくなるように作製される。ストッパ５は、凹部２ｅの奥端面から垂直に埋め込まれている。
【００３０】
このストッパ５により、磁石本体２ｂは、図６に示されるようにプレート３から遠い位置にあるときには、ストッパ５に吸着されているため、ケース２ａの内部に保護されている。一方、図７〜８に示されるように、磁石本体２ｂは、プレート３のほぼ上に位置するときには、ストッパ５よりもプレート３へ引かれる力が強くなるため、磁石本体２ｂは、ケース２ａから下方へ突出してプレート３に吸着する。したがって、磁石２およびプレート３は、強く吸着することができる。
【００３１】
また、ストッパ５を設ける代わりに、弱いバネ、すなわち、磁石本体２ｂとプレート３とのあいだの吸引力よりも弱い弾性力を磁石本体２ｂに与えるバネを、ケース２ａ内部に設けても、前記ストッパ５と同様の作用を奏することができる。
【００３２】
つぎに図１〜５に示される参考例の戸当りの動作を説明する。
【００３３】
図６に示されるように、まず、設置方法として、本体部分１を床面Ｆの上面であって全開位置付近にネジまたは接着剤などで固着し、磁石２をドアＤの下面に埋設する。このとき、当接体４の当接面４ａをドアＤのほぼ全開位置に配置し、プレート３の吸着面３ｂをドアＤの閉位置側に配置するようにする。
【００３４】
図６に示されるように、ドアＤが開方向に移動するあいだ、全開位置付近よりも遠いときには、磁石２とプレート３とのあいだの距離が大きいため、磁石本体２ｂはストッパ５に吸着された状態で動かない。
【００３５】
図７に示されるように、ドアＤが全開位置付近にきたとき、磁石２とプレート３とのあいだの距離が小さくなるため、磁石本体２ｂがストッパ５から離れてケース２ａから下方へ突出するとともに磁石２（具体的には磁石本体２ｂ）はプレート３の吸着面３ａに吸引される。
【００３６】
そして、図８示されるように、ドアＤが全開位置に達したとき磁石２と当接体４の当接面４ａとが面接触する。磁石本体２ｂはプレート３に吸着されているため、ドアＤは全開状態でロックされる。
【００３７】
一方、ドアＤを全開状態から閉じたいときには、前記磁石本体２ｂとプレート３とのあいだの吸引力に抗して少し強めにドアＤを閉方向に移動させれば、容易にロックを解除してドアＤを閉めることができる。そして、ドアＤが図６に示される位置付近まで戻れば、磁石本体２ｂは、再び前記ストッパ５に吸着することによりケース２ａ内部に収納される。
【００３８】
また、本発明の戸当りの実施の形態として、図９〜１１に示されるように、使用していないときは当接体１４がプレート１３の溝１５の内部に収納されており、磁石２と衝突するときに当接体１４が上に持ち上がる（図１０の２点鎖線参照）ような戸当り本体１１を採用してもよい。当接体１４がプレート１３の溝１５の内部に収納されている状態では、歩行や運搬物の移動のほとんど妨げにならず、見栄えもよい。しかも、歩行者や運搬物が、より抵抗なく乗り上げることができる。
【００３９】
具体的には、図９〜１１に示される戸当り本体１１は、少なくとも一部が磁性体で作製され、床上に設けられたプレート１３に溝１５が形成され、溝１５の内部に上下に揺動自在に設けられた当接体１４とから構成されている。
【００４０】
図９〜１１に示されるプレート１３は、ベースプレート１３ａと、カバープレート１３ｂとからなり、少なくともベースプレート１３ａの溝１５の内部に突出している一対の突出部１６が鉄やスチールなどの磁性体で作製されていればよいが、ベースプレート１３ａ全体が磁性材料で作製されていてもよい。
【００４１】
また、当接体１４に当たる面積を増やすために磁石２のカバー２ｆの一部を突出させ、この突部が移動し得るように、一対の突出部１６のあいだにも溝１７が形成されている。
【００４２】
さらに、プレート１３を床にネジ止めするためのネジ孔１８が３個程度形成されている。
【００４３】
当接体１４は、前記ベースプレート１３ａおよびカバープレート１３ｂによって両端が支持された回転軸１８に上下に揺動できるように支持されている。また、当接体１４の前方端部１４ａは、前記磁石２のケース２ａの前面と接触したときに当接体１４が上方に持ち上げられるように、上へ向かうにつれて前方へ傾斜するように形成されている。当接体４は、ゴムまたは合成樹脂などの弾性部材で形成されているのが好ましい。
【００４４】
【発明の効果】
本発明の戸当りは、当接体の高さを低くしたフラットタイプの戸当りであるため、歩行や運搬物などの移動を安全に行なうことができ、ドアの周辺の床面の美観を向上することができる。
【００４５】
しかも、ドアに設けられた磁石本体を出没させて床面に設けられたプレートに吸着させる構成であるため、当接体の高さが従来より低くてもドアを確実に止めることができる。
【図面の簡単な説明】
【図１】  参考例にかかわる戸当りの一例を示す斜視説明図である。
【図２】  図１の戸当り本体の正面図である。
【図３】  図１の戸当り本体の平面図である。
【図４】  図２の戸当りの矢視Ａ図である。
【図５】  図１の磁石の断面説明図である。
【図６】  図１の戸当りの動作説明図である。
【図７】  図１の戸当りの動作説明図である。
【図８】  図１の戸当りの動作説明図である。
【図９】  本発明の戸当りの実施の形態を示す戸当り本体の平面図である。
【図１０】  図９のＸ−Ｘ線断面図である。
【図１１】  図９のXI−XI線断面図である。
【図１２】  従来のドアの固定状態を示す説明図である。
【図１３】  従来の戸当りを示す説明図である。
【符号の説明】
１、１１  戸当り本体
２  磁石
３、１３  プレート
４、１４  当接体
１５  溝
【図１】
0004077096.tif 000002
【図２】
0004077096.tif 000003
【図３】
0004077096.tif 000004
【図４】
0004077096.tif 000005
【図５】
0004077096.tif 000006
【図６】
0004077096.tif 000007
【図７】
0004077096.tif 000008
【図８】
0004077096.tif 000009
【図９】
0004077096.tif 000010
【図１０】
0004077096.tif 000011
【図１１】
0004077096.tif 000012
【図１２】
0004077096.tif 000013
【図１３】
0004077096.tif 000014